(57)【要約】【課題】  本発明は、消臭部材の交換作業を容易にでき、さらに、収容部及び回収機構を効果的に消臭することのできる吸殻回収装置を提供することである。【解決手段】  灰皿（２０）は、天板（１０）に配設されたベース（２１）とレール（３０）の内部空間に連通する投入口（２２ａａ）を有した皿部（２２）とを備え、ベース（２１）と皿部（２２）との間には、レール（３０）の内部空間に連通した空間部（２４）を備え、空間部（２４）に消臭部材（５０）を設置した。   【選択図】  図３
2008054891.tif 000002
【特許請求の範囲】
【請求項１】
天板と、
前記天板に配設された灰皿と、
その内部空間に前記灰皿を介して廃棄物を収容する収容部と、
前記収容部内の前記廃棄物を回収する回収機構と、
を備えた吸殻回収装置において、
前記灰皿は、
前記天板に配設されたベース部と、
前記ベース部に配設され、前記ベース部との間に前記収容部の内部空間に連通する空間部を形成するとともに、前記空間部に連通する投入口を有した皿部とを備え、
前記空間部に消臭部材を配設した
ことを特徴とする廃棄物回収装置。
【請求項２】
前記灰皿の開口部を被覆可能な被覆部材を備えたことを特徴とする請求項１に記載の廃棄物回収装置。
【請求項３】
前記皿部は、前記ベース部に対し、着脱自在に配設されていることを特徴とする請求項１に記載の廃棄物回収装置。
【請求項４】
前記皿部は、前記投入口に向かって縮径する傾斜面を備えたことを特徴とする請求項１または３に記載の廃棄物回収装置。
【請求項５】
前記消臭部材として、安定化二酸化塩素ゲルを用いることを特徴とする請求項１に記載の廃棄物回収装置。
【発明の詳細な説明】
【技術分野】
【０００１】
本発明は、パチンコ台やスロットマシン等の遊技台が複数設置された遊技店で用いられている灰皿に投入された吸殻やゴミ等の廃棄物を自動回収する吸殻回収装置に関する。
【背景技術】
【０００２】
複数のパチンコ台やスロットマシン等の遊技台が設置された遊技店では、遊技台毎に灰皿が設けられており、灰皿から投入された煙草の吸殻やゴミ等の廃棄物を手作業で回収する手間等を考慮して、自動的に廃棄物を回収する吸殻回収装置が採用されている。
【０００３】
この吸殻回収装置は、遊技台を設置する天板に設けられ、灰皿から投入された煙草の吸殻やゴミ等の廃棄物は、天板の下部に設けられた中空状の収容部に落下する。落下した廃棄物は、収容部内に設けられ、収容部内を周回するエンドレスチェーン等の環状部材に取り付けられたスクレーパ等の搬送部材により、収容部の終端に取り付けられた内部に消火用の水が入った回収手段まで搬送される。
【０００４】
回収手段に搬送された廃棄物の中でも特に煙草の吸殻は、火が付いた状態で搬送されてきても回収手段に予め貯留された消火用の水により消火される。その一方で、吸殻が消火用の水を吸収することで吸殻から生じるにおいが強くなり、このにおいが吸殻回収装置内から遊技店内に漏れ出す恐れがあった。この問題に鑑みて、例えば特許文献１や特許文献２のような吸殻回収装置が提案されている。
【０００５】
上記文献によれば、遊技機を設置する天板に設けられた灰皿から投入された煙草の吸殻やゴミ等の廃棄物が収容される収容部や廃棄物を回収するための回収手段に光触媒と紫外線を放出する光源とを設置することで収容部及び回収手段の消臭ができるようになっている。
【特許文献１】特開２００４−６５２３９号公報
【特許文献２】特開２００４−１６３２６号公報
【発明の開示】
【発明が解決しようとする課題】
【０００６】
しかしながら、特許文献１によれば、回収部に光触媒及び光源を配置しただけの構成であるため、光触媒を配置した付近の消臭しかできない。また、特許文献２においても、収容手段に光触媒及び光源を配置しただけの構成であるため、収容手段内の消臭のみしかできない。特許文献１と特許文献２を組み合わせることで収容部及び収容手段の消臭をすることが可能となるものの、光触媒や光源を設置することで非常にコストアップしてしまうだけでなく、経年使用により、煙草のヤニ等が光触媒及び光源に付着することで消臭機能の効果が小さくなってしまうという問題がある。更に、消臭機能の効果が小さくなってしまった光触媒やその光源の交換作業には非常に煩わしい作業が必要であるためメンテナンス性にも問題がある。
【０００７】
そこで、本発明は、消臭部材の交換作業を容易にでき、さらに、収容部及び回収機構を効果的に消臭することのできる吸殻回収装置を提供することである。
【課題を解決するための手段】
【０００８】
上記した技術的課題を解決するために講じた第１の技術的手段は、天板と、前記天板に配設された灰皿と、その内部空間に前記灰皿を介して廃棄物を収容する収容部と、前記収容部内の前記廃棄物を回収する回収機構と、を備えた吸殻回収装置において、前記灰皿は、前記天板に配設されたベース部と、前記ベース部に配設され、前記ベース部との間に前記収容部の内部空間に連通する空間部を形成するとともに、前記空間部に連通する投入口を有した皿部とを備え、前記空間部に消臭部材を配設したことである。
【０００９】
また、本発明で講じた第２の技術的手段は第１の手段に加えて、前記灰皿の開口部を被覆可能な被覆部材を備えたことである。
【００１０】
更に、また、本発明で講じた第３の技術的手段は第１の手段に加えて、前記皿部は、前記ベース部に対し、着脱自在に配設されていることである。
【００１１】
更に、また、本発明で講じた第４の技術的手段は第１または第３の手段に加えて、前記皿部は、前記投入口に向かって縮径する傾斜面を備えたことである。
【００１２】
更に、また、本発明で講じた第５の技術的手段は第１の手段に加えて、前記消臭部材として、安定化二酸化塩素ゲルを用いたことである。
【発明の効果】
【００１３】
請求項１に記載の発明によれば、天板に設けられた灰皿のベース部と皿部との間の空間部に消臭部材を配設することにより、消臭部材を容易に交換することができる。さらに、灰皿、収容部、回収機構に至る廃棄経路の上流部分である灰皿部分で消臭効果を奏することができるため、廃棄物が灰皿に廃棄された時点より廃棄物から発生するにおいを低減することができる。したがって、遊技者により快適な遊技環境を提供することができる。
【００１４】
更に、請求項２に記載の発明によれば、灰皿の開口部を覆う被覆部材を設けたので、灰皿から投入された廃棄物の中で特に火のついた煙草から放出される煙や消臭部材で消臭される前のにおいが外部に放出されてしまうことを未然に防ぐことができる。
【００１５】
更に、請求項３に記載の発明によれば、皿部はベース部に対して着脱自在に配設されているので、消臭部材の交換作業をより容易に行うことができる。
【００１６】
更に、請求項４に記載の発明によれば、皿部は、投入口に向かって傾斜する傾斜面を備えたので、空間部をより大きく確保することができる。
【００１７】
更に、請求項５に記載の発明によれば、消臭部材として、揮発性が高い二酸化塩素ゲルを用いたので、吸殻回収装置の収容部内だけでなく、回収機構に至るまで効果的に消臭することができる。
【発明を実施するための最良の形態】
【００１８】
本発明に係る吸殻回収装置１の実施の形態について、図１から図６に基づいて以下に説明する。
【００１９】
図１及び図２は、本発明の吸殻回収装置１の全体を模式的に示す斜視図及びその主要断面図である。本発明の吸殻回収装置１は、長手方向に穴部１０ａが等間隔に設けられた天板１０（天板）と、天板１０の穴部１０ａに嵌合する上面視円形状の灰皿２０（灰皿）と、灰皿２０から投入された煙草の吸殻やゴミ等の廃棄物１００が落ち込むレール３０（収容部）と、レール３０の内部空間に落ち込んだ廃棄物１００を回収する回収機構６０とを備えている。
【００２０】
回収機構６０は、レール３０の内部空間に配設されるエンドレスチェーン４０と、レール３０の終端部（図１、図２の右端）に廃棄物１００が搬送される回収タンク３４と、それを収容するケース３１とを備えている。
【００２１】
エンドレスチェーン４０には、レール３０内に落ち込んだ廃棄物１００を搬送する難燃ゴム製のスクレーパ３３が延在方向において等間隔に設置されている。またエンドレスチェーン４０はレール３０内に設けられたスプロケット４１、４２、４３，４４に懸架され、図示しないモータによりスプロケット４１が回転されることによりエンドレスチェーン４０はレール３０内を反時計回り（図２の矢印方向）に周回する。
【００２２】
回収タンク３４には消火用水が貯留されており、レール３０の終端部には、搬送されてきた廃棄物１００を好適に回収タンク３４に導く斜面４５が備えられている。
【００２３】
続いて図３は、図２のＡ−Ａ拡大断面図である。灰皿２０は、穴部１０ａに嵌合されて天板１０により支持された有底筒状のベース２１（ベース部）と、ベース２１に支持された皿部２２（皿部）と、ベース２１に取り付けられた蓋２３により構成されている。金属製で平面視円盤形状のベース２１はその外周部に支持部２１ａを備えており、天板１０により支持部２１ａの下面２１ａａを支持され、天板１０に対して着脱自在に取り付けられている。ベース部２１の底面にはレール３０の内部空間に連通する穴２１ｆが形成されている。
【００２４】
ベース２１は、図５，６に示すようにネジ等で穴部２１ｅを介して天板１０に取り付けられている。ベース２１の支持部２１ａは、その上面２１ａｂの一部が切り欠かれることにより形成された段付面２１ｃを持っている。段付面２１ｃは後述する皿部２２の支持面２２ｄを支持する。上面２１ａｂには、ピン１１０を介して皿部２２の開口部２２ｂを被覆可能な蓋２３（被覆部材）がピン１１０を回転中心として回転可能に取り付けられている。
【００２５】
上方に開口部２２ｂを形成する凹形状の皿部２２は、中央に廃棄物１００を投入する楕円状の投入口２２ａａが設けられた平坦な底面２２ａと、その底面２２ａから連続的に延びる傾斜面２２ｃと、さらにその傾斜面２２ｃから連続的に延びるベース２１の段付面２１ｃに支持される支持面２２ｄから構成されている。皿部２２はベース部２１に着脱自在に収容され、皿部２２の底面２２ａと傾斜面２２ｃとベース２１との間には空間部２４が設けられている。
【００２６】
この空間部２４には、ベース２１の下部に設けられた消臭部材載置部２１ｄに消臭部材５０が載置されている。図４に示すように消臭部材５０は消臭剤５２とカートリッジ５１とを備え、消臭剤５２は、揮発性が高く、消臭作用を持った二酸化塩素が主成分のゲル状で、ドーナツ状のカートリッジ５１に封入されている。なお、消臭剤５２が揮発してしまうのを防止するために使用前の消臭部材５０のカートリッジ５１の上面は、蓋により被覆されることにより密閉状態となっている。使用時には、この蓋を外すことで消臭剤５２からは揮発して消臭機能を持った二酸化塩素ガスを発生するようになる。
【００２７】
また、傾斜面２２ｃは、空間部２４のスペースをより大きく確保することができるだけでなく、消臭部材５０の消臭剤５２の揮発量を適量に調整するための蓋の機能も有している。
【００２８】
図１、図３に示すように、灰皿２０の下方には、天板１０の延設方向に沿って中空状に形成された金属製のレール３０が設けられている。レール３０内部を周回するスクレーパ３３は、レール３０の下面３０ａに摺動するようにエンドレスチェーン４０に配置されている。
【００２９】
皿部２２とベース２１にて形成された空間部２４は、レール３０の内部空間及び回収タンク３４が設けられたケース３１内に連通されている。さらに、図４に示す消臭部材５０は取付前には、揮発性の高い消臭剤５２が気化しないように上面が蓋で遮蔽された状態となっている。使用時は、上面の蓋を取り外すことで消臭剤５２が外気と接するようになるので消臭剤５２は揮発していき、揮発した消臭機能を持った二酸化塩素ガスは、空間部２４を介し、レール３０内部及び回収タンク３４のケース３１内に至るまで充満するように構成されている。
【００３０】
図５、図６は、本発明の吸殻回収装置１の灰皿２０の蓋２３が開放された状態を示す正面図及びその斜視図である。投入口２２ａａからレール３０の下面３０ａまでの距離Ｘ（図３参照）以上の長さの図示しない煙草が投入口２２ａａから投入され、レール３０の下面３０ａを摺動するスクレーパ３３により投入された煙草を搬送する場合、煙草が傾倒しやすくなるように灰皿２０の皿部２２に設けた投入口２２ｂは、スクレーパ３３が移動する方向に長径を持ち、かつ遊技台で使用されるパチンコ球が通過できないような楕円形状に設定されている。
【００３１】
また、皿部２２には、喫煙途中の煙草を置くために半円状に切り欠かれた切欠部２２ｅが設けられている。また、蓋２３には、蓋２３の下面側に突出する係合部２３ａが設けられ、この係合部２３ａが切欠部２２ｅに係合することにより、蓋２３が不意にピン１１０を回転中心に回転してしまうことを防止し、蓋２３が開口部２２ｂを被覆した状態を保持することができる。蓋２３の上面の外周側には、円弧状の突起部２３ｂが設けられており、蓋２３を閉めた場合に飲料等を置くための載置部２３ｃを形成することもできる。
【００３２】
続いて、図１〜図６を参照して本発明の吸殻回収装置１の作動について以下に説明する。
【００３３】
まず、灰皿２０の不使用時に蓋２３は、その係合部２３ａが切欠部２２ｅに係合し、灰皿２０の皿部２２を被覆した状態となっている。この状態から、ピン１１０を回転中心として蓋２３を任意の方向に回転させることにより、開口部２２ｂが開放状態になり灰皿２０が使用可能となる。
【００３４】
図５等に示す灰皿２０の投入口２２ａａから煙草の吸殻が投入されると、吸殻はベース部２１の穴２１ｆとレール３０の内部空間を通り、図３に示すレール３０の下面３０ａに落ちる。下面３０ａに落ちた吸殻は、エンドレスチェーン４０に設けられたスクレーパ３３によりレール３０の下面３０ａの端部（図１、図２の右側）まで搬送される。
【００３５】
終端部まで搬送された吸殻は、レール３０と回収タンク３４との接続部に設けられた斜面４５により確実に回収タンク３４内に落下する。ここで、吸殻に火がついた状態で投入口２２ａａから投入された場合でも回収タンク３４には、消火用の水が貯留されているので、火のついた吸殻は回収タンク３４に落ちると同時に消火水により確実に消火される。
【００３６】
吸殻を回収タンク３４へ搬送したスクレーパ３３は、レール３０内部空間を周回するエンドレスチェーン４０により、ケース３１内に設けられたスプロケット４３、４４、４１で折り返されてレール３０の内部空間の上側を移動する。レール３０の内部空間の上側を移動するスクレーパ３３は、レール３０に対し回収タンク３４が設けられた側とは反対側の端部（図１、図２の左側）に設けられたスプロケット４２により、再度レール３０の下面３０ａ側に折り返される。
【００３７】
使用し終わった灰皿２０は、ピン１１０を回転中心として蓋２３を回転させ、蓋２３の係合部２３ａを切欠部２２ｅに係合させる。これにより開口部２２ｂは蓋２３により被覆され、灰皿２０は不使用状態となる。この時、蓋２３の上面の外周側に設けた突起部２３ｂにより形成された載置部２３ｃに飲み物等を置くことでカップホルダーとして利用することもできる。
【００３８】
灰皿２０の投入口２２ａａから投入された廃棄物１００がエンドレスチェーン４０に設けられたスクレーパ３３により回収タンク３４へ搬送され続けると、回収タンク３４内は搬送されてきた廃棄物１００により満たされる。ここで、回収タンク３４の清掃をするために、図１に示すケース３１に設けられた扉３２の把手部３２ａを操作し扉３２を開放する。これにより、ケース３１内から回収タンク３４を取り出すことが可能となる。その後、回収タンク３４を取り出し、回収タンク３４に貯まった廃棄物１００の処理を行い、空になった回収タンク３４に消火用の水を貯留し、回収タンク３４を再度ケース３１内に戻し、開放されている扉３２を閉めることにより、回収タンク３４の清掃をすることができる。
【００３９】
灰皿２０の空間部２４に設けられた消臭部材５０からは、消臭機能を持った二酸化塩素ガスが発生する。この二酸化塩素ガスは空気よりも比重が大きいため、発生した二酸化塩素ガスは空間部２４を介してレール３０内部に向かって降下していき、レール３０内部全体、ひいては回収タンク３４を収納するケース３１内に至るまで二酸化塩素ガスを充満させることができるため充分な消臭効果を得ることができる。
【００４０】
続いて、灰皿２０の皿部２２とベース部２１に設けられた消臭部材５０の交換方法について以下に説明する。
【００４１】
消臭部材５０は、揮発性の高い二酸化塩素を主成分で形成されているため全て気化してしまう。このため、定期的な消臭部材５０の交換が必要となる。この場合には、まず灰皿２０のベース２１の段付面２１ｃに着脱可能に取り付けられている皿部２２を投入口２２ａａに指等を入れて上方に持ち上げると皿部２２は容易に取り外され、消臭部材５０が交換可能な状態となる。この状態で、ベース２１の消臭部材載置部２１ｃから使用済みの消臭部材５０を取り外し、新しい消臭部材５０を消臭部材載置部２１ｃに取り付ける。そして、持ち上げた皿部２２を元の位置に戻すことにより交換することができる。
【００４２】
以上説明したように、本実施の形態の吸殻回収装置１によれば、天板１０に設けられた灰皿２０のベース２１と皿部２２との間の空間部２４に消臭部材５０を配設することにより、消臭部材を容易に交換することができるとともにレール３０及び回収機構６０に対して非常に高い消臭効果を奏することができる。
【００４３】
更に、灰皿２０の開口部２２ｂを覆う被覆部材２３を設けたので、灰皿２０から投入された廃棄物１００の中で特に火のついた煙草から放出される煙や消臭部材５０で消臭される前のにおいが外部に放出されてしまうことを未然に防ぐことができる。
【００４４】
更に、皿部２２はベース２１に対して着脱自在に配設されているので、消臭部材５０の交換作業をより容易に行うことができる。
【００４５】
更に、皿部２２は、投入口２２ａａに向かって縮径する傾斜面２２ｃを備えたので、空間部２４をより大きく確保することができる。
【００４６】
更に、消臭部材５０として、揮発性が高い二酸化塩素ゲルを用いたので、吸殻回収装置１のレール３０の内部空間だけでなく、回収機構６０に至るまで効果的に消臭することができる。
【００４７】
また、本実施例では、エンドレスチェーン４０に等間隔で設けたスクレーパ３３で灰皿２０から投入された廃棄物１００を回収タンク３４まで搬送する例を挙げたが特にこの形態に限定されるものではなく、例えば、エンドレスチェーン４０の代わりにコンベアを用い、コンベアにより回収タンク３４まで廃棄物１００を搬送するようにしてもよい。
【００４８】
以上、本発明を上記実施の態様に則して説明したが、本発明は上記態様にのみ限定されるものではなく、本発明の原理に準ずる各種態様を含むものである。
【図面の簡単な説明】
【００４９】
【図１】本発明に関わる吸殻回収装置全体を模式的に表す斜視図を示す。
【図２】本発明に関わる吸殻回収装置全体を模式的に表す主要断面図を示す。
【図３】Ａ−Ａ拡大断面図を示す。
【図４】本発明に関わる吸殻回収装置の灰皿に設置した消臭部材の平面図及び正面図を示す。
【図５】本発明に関わる吸殻回収装置の灰皿の平面図を示す。
【図６】本発明に関わる吸殻回収装置の灰皿の斜視図を示す。
【符号の説明】
【００５０】
１…吸殻回収装置、１０…天板、２０…灰皿、２１…ベース（ベース部）、２２…皿部、２２ａ…底面、２２ａａ…投入口、２２ｂ…開口部、２２ｃ…傾斜面、２２ｄ…支持面、２３…蓋(被覆部材)、２４…空間部、３０…レール（収容部）、５０…消臭部材、５２…消臭剤（安定化二酸化塩素ゲル）、６０…回収機構、１００…廃棄物（吸殻）
【図１】
2008054891.tif 000003
【図２】
2008054891.tif 000004
【図３】
2008054891.tif 000005
【図４】
2008054891.tif 000006
【図５】
2008054891.tif 000007
【図６】
2008054891.tif 000008